(57)【特許請求の範囲】
【請求項１】
器台と該器台に取着される付属部品とを有した被梱包物を底方向及び側面方向から囲む包囲部と、該包囲部の一側面に連設され被包囲物を上面方向から塞ぐとともにこの一側面に対向する包囲部の側面に係合される係合片を有した蓋部と、前記一側面以外の包囲部の１つの側面から包囲部の内方側に折曲げられ裏面が器台の上面に当接するとともに表面側に付属部品を載置する折曲部と、を備えた梱包箱において、
前記器台は、開口側に突出した突出部と該突出部の基端側に連設される付属部品取着部とを有して形成され、前記折曲部は、一側面に対向する包囲部の側面に連設される蓋部と係合する垂下片と、該垂下片に連設され裏面側が付属部品取着部に当接するとともに表面側に付属部品を載置する載置片と、該載置片に突出部の側面に沿って連設され突出部と付属部品とを隔離するとともに蓋部の係合片を垂下片との間で挟持する隔離片と、を有して構成されたことを特徴とする梱包箱。
【請求項２】
前記包囲部の一側面の両側に連設される２つの側面のうち突出部側の側面に、隔離片まで延出形成された延出片と、該延出片から包囲部の底方向に連設されて隔離片の突出部側の面に当接する当接片と、を備えた突出部カバー片を設けたことを特徴とする請求項１記載の梱包箱。
【請求項３】
器台と該器台に取着される付属部品とを有した被梱包物を底方向及び側面方向から囲む包囲部と、該包囲部の一側面に連設され被包囲物を上面方向から塞ぐとともにこの一側面に対向する包囲部の側面に係合される係合片を有した蓋部と、前記一側面以外の包囲部の１つの側面から包囲部の内方側に折曲げられ裏面が器台の上面に当接するとともに表面側に付属部品を載置する折曲部と、を備えた梱包箱において、
前記器台は、開口側に突出した突出部と該突出部の基端側に連設される付属部品取着部とを有して形成され、前記折曲部は、一側面に連設される包囲部の２つの側面のうち突出部側の側面に連設されて突出片を覆う突出部カバー片と、該突出部カバー片に連設され包囲部の底方向に垂下して突出部と付属部品とを隔離するとともに蓋部の係合片を側面との間で挟持する隔離片と、該隔離片に連設され裏面側が付属部品取着部に当接するとともに表面側に付属部品を載置する載置片とを有して構成されたことを特徴とする梱包箱。
【請求項４】
前記一側面に連設される包囲部の２つの側面のうち付属部品側の側面に隔離片まで延出形成されて付属部品を覆う付属部品カバー片を設けたことを特徴とする請求項１乃至請求項３記載の梱包箱。
【請求項５】
前記付属部品に、器台の付属部品取着部に取着する端子が形成され、前記折曲部に、端子を端子に対向する面から所定間隔でもって配設する端子保護部を設けたことを特徴とする請求項１乃至請求項４記載の梱包箱。
【発明の詳細な説明】
【０００１】
【発明の属する技術分野】
本発明は、器台と該器台に取着される付属部品とを備えた電気機器を収納するのに適した梱包箱に関する。
【０００２】
【従来の技術】
従来の梱包箱を図１０を用いて説明する。図１０は梱包箱の斜視図である。
【０００３】
従来、この種の梱包箱にあっては、図１０に示すように、器台１を収納する外箱Ａと、付属部品２を収納する内箱Ｂとからなり、器台１を外箱Ａに収納した後に、付属部品２を収納した内箱Ｂを外箱Ａに収納していた。
【０００４】
【発明が解決しようとする課題】
しかしながら、上述の図１０に示すような梱包箱にあっては、外箱Ａと内箱Ｂとが別体であり、外箱Ａと内箱Ｂとを形成するためには、段ボール紙などで２つの展開体（不図示）を形成しなければならない。従って、展開体を形成する際の材料取りが悪く、また梱包箱の製造作業が煩わしいという問題点があった。
【０００５】
本発明は、上記問題点を改善するために成されたもので、その目的とするところは、材料取りがよく、製造作業が容易な梱包箱を提供することにある。
【０００６】
【課題を解決するための手段】
本発明は上記の問題を解決するために、請求項１記載の発明にあっては、器台と該器台に取着される付属部品とを有した被梱包物を底方向及び側面方向から囲む包囲部と、該包囲部の一側面に連設され被包囲物を上面方向から塞ぐとともにこの一側面に対向する包囲部の側面に係合される係合片を有した蓋部と、前記一側面以外の包囲部の１つの側面から包囲部の内方側に折曲げられ裏面が器台の上面に当接するとともに表面側に付属部品を載置する折曲部と、を備えた梱包箱において、前記器台は、開口側に突出した突出部と該突出部の基端側に連設される付属部品取着部とを有して形成され、前記折曲部は、一側面に対向する包囲部の側面に連設される蓋部と係合する垂下片と、該垂下片に連設され裏面側が付属部品取着部に当接するとともに表面側に付属部品を載置する載置片と、該載置片に突出部の側面に沿って連設され突出部と付属部品とを隔離するとともに蓋部の係合片を垂下片との間で挟持する隔離片と、を有して構成されたことを特徴とするものである。
【０００７】
請求項２記載の発明にあっては、前記包囲部の一側面の両側に連設される２つの側面のうち突出部側の側面に、隔離片まで延出形成された延出片と、該延出片から包囲部の底方向に連設されて隔離片の突出部側の面に当接する当接片と、を備えた突出部カバー片を設けたことを特徴とするものである。
【０００８】
請求項３記載の発明にあっては、器台と該器台に取着される付属部品とを有した被梱包物を底方向及び側面方向から囲む包囲部と、該包囲部の一側面に連設され被包囲物を上面方向から塞ぐとともにこの一側面に対向する包囲部の側面に係合される係合片を有した蓋部と、前記一側面以外の包囲部の１つの側面から包囲部の内方側に折曲げられ裏面が器台の上面に当接するとともに表面側に付属部品を載置する折曲部と、を備えた梱包箱において、前記器台は、開口側に突出した突出部と該突出部の基端側に連設される付属部品取着部とを有して形成され、前記折曲部は、一側面に連設される包囲部の２つの側面のうち突出部側の側面に連設されて突出片を覆う突出部カバー片と、該突出部カバー片に連設され包囲部の底方向に垂下して突出部と付属部品とを隔離するとともに蓋部の係合片を側面との間で挟持する隔離片と、該隔離片に連設され裏面側が付属部品取着部に当接するとともに表面側に付属部品を載置する載置片とを有して構成されたことを特徴とするものである。
【０００９】
請求項４記載の発明にあっては、前記一側面に連設される包囲部の２つの側面のうち付属部品側の側面に隔離片まで延出形成されて付属部品を覆う付属部品カバー片を設けたことを特徴とするものである。
【００１０】
請求項５記載の発明にあっては、付属部品に、器台の付属部品取着部に取着する端子が形成され、前記折曲部に、端子を端子に対向する面から所定間隔でもって配設する端子保護部を設けたことを特徴とするものである。
【００１２】
【発明の実施の形態】
本発明にかかる梱包箱の第一実施の形態を図１乃至図５に基づいて、第二実施の形態を図６乃至図９に基づいて説明する。
【００１３】
〔第一実施の形態〕
図１は、梱包箱と器台と付属部品との斜視図である。図２は梱包箱の展開体の平面図である。図３は梱包箱の一部断面の斜視図である。図４は梱包箱に器台及び付属部品を収納した場合の側方からの断面図である。図５は梱包箱に器台及び付属部品を収納した場合の平面図である。
【００１４】
図１において、１は梱包箱の収納対象であり被包囲物に相当する器台を示し、２は収納対象であり被包囲物に相当する付属部品を示す。
【００１５】
器台１は、上方に突出した突出部１ａと該突出部１ａの基端側に連設される付属部品取着部１ｂとを有して形成されている。付属部品２は一側面に複数の端子２ａを有しており、該端子２ａは付属部品２を器台１に接続するものである。
【００１６】
包囲部３は、図１乃至図３に示すように、一側面に相当する側面３ａと、側面３ａと対向する側面３ｂと、側面３ａの両側に連設される側面３ｃ，３ｄと、底面３ｅとを有している。なお、器台１の包囲部３への収納は、突出部１ａが側面３ｃの側に位置するようにして、付属部品取着部１ｂが側面３ｄの側に位置するようにする。また、底面３ｅは、図２に示すように、側面３ａ，３ｂ，３ｃ，３ｄから延設された底面構成片３ｆ，３ｇ，３ｈ，３ｉを係合させて構成している。
【００１７】
蓋部４は、側面３ａに連設され、折曲げられたときに梱包箱内部を上面方向から塞ぐとともに、側面３ｂに係合される係合片４ａを有している。
【００１８】
折曲部５は、側面３ｂに連設されて垂下片５ａと載置片５ｂと隔離片５ｃと有している。
【００１９】
垂下片５ａは、側面３ｂに連設され、図２に示す折曲線Ｌ１に沿って側面３ｂに対して略１８０度梱包箱の内側に向けて折曲げられて、折曲線Ｌ１から垂下して形成されている。また、垂下片５ａは、蓋部４が閉じられた場合に係合片４ａと当接する。
【００２０】
載置片５ｂは垂下片５ａの先端から連設され、垂下片５ａに対して略垂直と成るように折曲げられ、従って底面３ｅと略平衡と成るように形成されている。載置片５ｂの裏面側は付属部品取着部１ｂに当接するとともに、表面側は付属部品２を載置する。
【００２１】
隔離片５ｃは、載置片５ｂの側端部から連設され、梱包箱に器台１と付属部品２とを収納したときに、突出部１ａと付属部品２とを隔離する。また、蓋部４の係合片４ａは、垂下片５ｃと隔離片５ｃの端部との間で挟持される。
【００２２】
また、折曲部５は、付属部品２の端子２ａを付属部品２を収納したときに端子２ａに対向する垂下片５ａから所定間隔でもって配設する端子保護部５ｄを有する。端子保護部５ｄは、図２に示すように、垂下片５ａと載置片５ｂとの境界である折曲線Ｌ２に垂直に２箇所の切り込み５ｅ，５ｆを設け、載置片５ｂを垂下片５ａから折曲げて形成する際に、切り込み５ｅ，５ｆ間の部材が内側に突出するように切り起こして形成する。
【００２３】
突出部カバー片６は、側面３ｃから連設されており、側面３ｃから隔離片５ｃまで延出形成された延出片６ａと、延出片６ａから包囲部３の底面３ｅ方向に連設されて隔離片５ｃの突出部１ａ側の面に当接する当接片６ｂとを備えている。従って、延出片６ａは突出部１ａの上面を覆って保護する。
【００２４】
付属部品カバー片７は、側面３ｄから隔離片５ｃまで延出形成されており、付属部品２の上面を覆って保護する。
【００２５】
そして、以上の各部位は各々連設されているので、梱包箱は図２に示すように単一の展開体から構成されている。
【００２６】
以上のようにして構成された梱包箱は、図３に示すように、底面３ｅと載置部５ｂとの間に形成される付属部品取着部収納空間Ｓ１と、側面３ｃと隔離片５ｃとの間に形成される突出部収納空間Ｓ２と、側面３ａと垂下片５ａと隔離片５ｃと側面３ｄと載置片５ｂとから形成される付属部品収納空間Ｓ３とを有する。
【００２７】
次に器台１と付属部品２との梱包箱への収納手順を説明する。まず、折曲部５が内部に折曲げられていない状態において、突出部１ａが側面３ｃ側となるようにして器台１を包囲部３に収納する。次に、隔離部５ｃと、載置部５ｂとを折曲げし、更に端子保護部５ｄを形成した後、折曲部５を包囲部３内部に折曲げする。そうすると、付属部品取着部収納空間Ｓ１に器台１の付属部品取着部１ｂが収納され、突出部収納空間Ｓ２に突出部１ａが収納される。
【００２８】
そして図４、図５に示すように、端子２ａが設けられている側面が垂下片５ａと対向するように、付属部品２を載置片５ｂ上に載置し、端子保護部５ｄと付属部品２の側面とを当接させる。
【００２９】
最後に、突出部カバー片６を折曲げして突出部１ａの上面を覆って、当接片６ｂを隔離片５ｃに当接させ、付属部品カバー片７を折曲げして、付属部品２の上面を覆い、蓋部４を折曲げして、係合片４ａを垂下片５ｃと隔離片５ｃの端部との間で挟持させる。以上により収納作業は終了する。
【００３０】
従って、梱包箱は単一の展開体より一体成形するので、材料取りが良く、製造作業が容易となる。また、垂下片５ａと、載置片５ｂと、隔離片５ｃとにより、付属部品収納空間Ｓ３を形成するので、別途の内箱の必要なく付属部品２を収納できるので省資源化が図れる。
【００３１】
更に、図４に示すように、端子保護部５ｄが端子２ａの周囲に空間Ｓ４を形成し付属部品２の一側面と当接して、付属部品２の移動を規制するので、端子２ａは垂下片５ａに接触せず、接触による折損から保護される。
【００３２】
〔第二実施の形態〕
図６は、梱包箱と器台と付属部品との斜視図である。図７は梱包箱の展開体の平面図である。図８は梱包箱に器台及び付属部品を収納した場合の側方からの断面図である。図９は梱包箱に器台及び付属部品を収納した場合の平面図である。
【００３３】
図６において、８は梱包箱の収納対象であり被包囲物に相当する器台を示し、９は収納対象であり被包囲物に相当する付属部品を示す。
【００３４】
器台８は、上方に突出した突出部８ａと該突出部８ａの基端側に連設される付属部品取着部８ｂとを有して形成されている。付属部品９は一側面に複数の端子９ａを有しており、該端子９ａは付属部品９を器台８に接続するものである。
【００３５】
包囲部１０は、図６、図７に示すように、一側面に相当する側面１０ａと、側面１０ａと対向する側面１０ｂと、側面１０ａの両側に連設される側面１０ｃ，１０ｄと、底面１０ｅとを有している。なお、器台１の包囲部３への収納は、突出部８ａが側面１０ｃの側に位置するようにして、付属部品取着部８ｂが側面１０ｄの側に位置するようにする。また、底面１０ｅは、図７に示すように、側面１０ａ，１０ｂ，１０ｃ，１０ｄから延設された底面構成片１０ｆ，１０ｇ，１０ｈ，１０ｉを係合させて構成している。
【００３６】
蓋部１１は、側面１０ａに連設され、折曲げられたときに梱包箱内部を上面方向から塞ぐとともに、側面１０ｂに係合される係合片１１ａを有している。
【００３７】
折曲部１２は、側面１０ｃに連設されて突出部カバー片１２ａと隔離片１２ｂと載置片１２ｃと押し下げ片１２ｄと有している。
【００３８】
突出部カバー片１２ａは、側面１０ｃから連設されて、突出部８ａの上面を覆って保護する。
【００３９】
隔離片１２ｂは、突出部カバー片１２ａから連設され包囲部１０の底面１０ｅ方向に垂下して、梱包箱に器台８と付属部品９とを収納したときに、突出部８ａと付属部品９とを隔離する。また、隔離片１２ｂは側面１０ｂとの間で、蓋部１１の係合片１１ａを挟持する。
【００４０】
載置片１２ｃは隔離片１２ｂから連設され、隔離片１２ｂに対して略垂直と成るように折曲げられ、従って底面１０ｅと略平衡と成るように形成されている。載置片１２ｃの裏面側は付属部品取着部８ｂに当接するとともに、表面側は付属部品９を載置する。
【００４１】
押し下げ片１２ｄは、載置片１２ｃに連設され、載置片１２ｃに対して略垂直と成るように上方に折曲げられ、従って底面１０ｅと略垂直と成るように形成されている。また、押し下げ片１２ｄの先端部は、蓋部１１が閉じられた場合に蓋部１１と当接して載置片１２ｃを押し下げるように、僅かに包囲部１０の上端から突出している。
【００４２】
また、折曲部１２は、付属部品９の端子９ａを付属部品９を収納したときに端子９ａに対向する側面１０ｂから所定間隔でもって配設する端子保護部１２ｅを有する。端子保護部１２ｅは、図７に示すように、隔離片１２ｂと載置片１２ｃとの境界である折曲線Ｌ３に垂直に１箇所の切り込み１２ｆを設け、載置片１２ｃを隔離片１２ｂから折曲げて形成する際に、切り込み５ｆと折曲部１２の側端部との間の部材が内側に突出するように切り起こして形成する。
【００４３】
付属部品カバー片１３は、側面１０ｄから隔離片１２ｂまで延出形成されており、付属部品９の上面を覆って保護する。
【００４４】
そして、以上の各部位は各々連設されているので、梱包箱は図７に示すように単一の展開体から構成されている。
【００４５】
以上のようにして構成された梱包箱は、図６に示すように、底面１２ｅと載置部１２ｃとの間に形成される付属部品取着部収納空間Ｓ５と、側面１０ｃと隔離片１２ｂとの間に形成される突出部収納空間Ｓ６と、側面１０ａと隔離片１２ｂと押し下げ片１２ｄと側面１０ｂと載置片１２ｃとから形成される付属部品収納空間Ｓ７とを有する。
【００４６】
次に器台８と付属部品９との梱包箱への収納手順を説明する。まず、折曲部１２が内部に折曲げられていない状態において、突出部８ａが側面１０ｃ側となるようにして器台８を包囲部１０に収納する。次に、隔離部１２ｂと載置部１２ｃと押し下げ片１２ｄとを折曲げし、更に端子保護部１２ｅを形成した後、折曲部１２を包囲部１０内部に折曲げする。そうすると、付属部品取着部収納空間Ｓ５に器台１８の付属部品取着部８ｂが収納され、突出部収納空間Ｓ６に突出部８ａが収納される。
【００４７】
そして図８、図９に示すように、端子９ａが設けられている側面が垂下片５ａと対向するように、付属部品９を載置片１２ｃ上に載置し、端子保護部１２ｅと付属部品９の側面とを当接させる。
【００４８】
最後に、付属部品カバー片１３を折曲げして、付属部品９の上面を覆い、蓋部１１を折曲げして、係合片１１ａを隔離片１２ｂの端部と側面１０ｂとの間で挟持させる。以上により収納作業は終了する。
【００４９】
従って、梱包箱は図７に示す単一の展開体より一体成形するので、材料取りが良く、製造作業が容易となる。
【００５０】
【発明の効果】
本発明の梱包箱は上述のように構成してあるから、請求項１記載の発明にあっては、一側面以外の包囲部の１つの側面に、包囲部の内方側に折曲げられ裏面が器台の上面に当接するとともに表面側に付属部品を載置する折曲部を設け、梱包箱を単一の展開体より一体形成するので、材料取りが良く、製造作業が容易な梱包箱を提供できるという効果を奏する。また、折曲部は一側面に対向する包囲部の側面に連設される蓋部と係合する垂下片と、該垂下片に連設され裏面側が付属部品取着部に当接するとともに表面側に付属部品を載置する載置片と、該載置片に突出部の側面に沿って連設され突出部と付属部品とを隔離するとともに蓋部の係合片を垂下片との間で挟持する隔離片とを有して構成したので、垂下片と隔離片と載置片とで付属部品を収納することができ、別途の付属部品を収納する内箱の必要がなく、梱包箱製造の際の材料の使用量を低減でき、よって省資源化を図ることができ、また隔離片と垂下片とにより係合片を挟持するので、蓋部を強固に係合させることができる梱包箱を提供できるという効果を奏する。
【００５１】
請求項２記載の発明にあっては、請求項１の発明の効果に加えて、前記包囲部の一側面の両側に連設される２つの側面のうち突出部側の側面に、隔離片まで延出形成された延出片と、該延出片から包囲部の底方向に連設されて隔離片の突出部側の面に当接する当接片とを備えた突出部カバー片を設けたので、器台の突出部の上部を保護することができるとともに、突出部カバー片が隔離片の折曲げに対する復元力に抗して隔離片を押さえつけ隔離片が強固に保持される梱包箱を提供できるという効果を奏する。
【００５２】
請求項３記載の発明にあっては、器台と該器台に取着される付属部品とを有した被梱包物を底方向及び側面方向から囲む包囲部と、該包囲部の一側面に連設され被包囲物を上面方向から塞ぐとともにこの一側面に対向する包囲部の側面に係合される係合片を有した蓋部と、前記一側面以外の包囲部の１つの側面から包囲部の内方側に折曲げられ裏面が器台の上面に当接するとともに表面側に付属部品を載置する折曲部と、を備えた梱包箱において、前記折曲部は、一側面に連設される包囲部の２つの側面のうち突出部側の側面に連設されて突出片を覆う突出部カバー片と、該突出部カバー片に連設され包囲部の底方向に垂下して突出部と付属部品とを隔離するとともに蓋部の係合片を側面との間で挟持する隔離片と、該隔離片に連設され裏面側が付属部品取着部に当接するとともに表面側に付属部品を載置する載置片とを有して構成したので、突出部カバー片と隔離片と載置片とで付属部品を収納することができ、別途の付属部品を収納する内箱の必要がなく、梱包箱製造の際の材料の使用量を低減でき、よって省資源化を図ることができ、また、折曲部を突出部側の側面に設けているので突出部カバー片と隔離片と載置片とを一体成形することができ、器台と付属部品との隔離が容易にでき、また、また隔離片と側面とにより係合片を挟持するので、蓋部を強固に係合させることができる梱包箱を提供できるという効果を奏する。
【００５３】
請求項４記載の発明にあっては、請求項１乃至請求項３記載の発明の効果に加えて、前記一側面に連設される包囲部の２つの側面のうち付属部品側の側面に隔離片まで延出形成されて付属部品を覆う付属部品カバー片を設けたので、蓋部を開いても付属部品が露出せず、見栄えが向上するとともに、付属部品の上部には蓋部と付属部品カバー片との２つの部材が重ねられるので、外部の衝撃から付属部品をより保護することができる梱包箱を提供できるという効果を奏する。
【００５４】
請求項５記載の発明にあっては、請求項１乃至請求項４記載の発明の効果に加えて、前記折曲部に、端子を端子に対向する面から所定間隔でもって配設する端子保護部を設けたので、端子保護部が付属部品の移動を規制し、運搬の際に付属部品の端子が直接包囲部の側面に当接せず、端子が折損しにくい梱包箱を提供できるという効果を奏する。
【図面の簡単な説明】
【図１】本発明の梱包箱の一例の斜視図である。
【図２】梱包箱の展開体の平面図である。
【図３】梱包箱の一部断面の斜視図である。
【図４】梱包箱に器台及び付属部品を収納した場合の側方からの断面図である。
【図５】梱包箱に器台及び付属部品を収納した場合の平面図である。
【図６】本発明の梱包箱の他の例の斜視図である。
【図７】梱包箱の展開体の平面図である。
【図８】梱包箱に器台及び付属部品を収納した場合の側方からの断面図である。
【図９】梱包箱に器台及び付属部品を収納した場合の平面図である。
【図１０】従来の梱包箱の一例の斜視図である。
【符号の説明】
１      器台
１ａ    突出部
１ｂ    付属部品取着部
２      付属部品
２ａ    端子
３      包囲部
３ａ    側面
３ｂ    側面
３ｃ    側面
３ｄ    側面
４      蓋部
４ａ    係合片
５      折曲部
５ａ    垂下片
５ｂ    載置片
５ｃ    隔離片
５ｄ    端子保護部
６      突出部カバー片
６ａ    延出片
６ｂ    当接片
７      付属部品カバー片
８      器台
８ａ    突出部
８ｂ    付属部品取着部
９      付属部品
９ａ    端子
１０    包囲部
１０ａ  側面
１０ｂ  側面
１０ｃ  側面
１０ｄ  側面
１１    蓋部
１１ａ  係合片
１２    折曲部
１２ａ  垂下片
１２ｂ  載置片
１２ｃ  隔離片
１２ｅ  端子保護部
１３    付属部品カバー片
【図１】
0003562102.tif 000002
【図２】
0003562102.tif 000003
【図３】
0003562102.tif 000004
【図４】
0003562102.tif 000005
【図５】
0003562102.tif 000006
【図６】
0003562102.tif 000007
【図７】
0003562102.tif 000008
【図８】
0003562102.tif 000009
【図９】
0003562102.tif 000010
【図１０】
0003562102.tif 000011